(57)【特許請求の範囲】
【請求項１】
棒状本体の地面に接地する先端近傍に横方向に延びる線状弾性部材を設け、前記線状弾性部材が使用者の足の移動範囲に延びる方向と、使用者の足の移動範囲外に延びる方向とのいずれかの状態で使用することにより、歩行補助のための普通の杖として用いることおよびリハビリ用の杖として用いることの双方を可能とした介護用杖。
【請求項２】
前記線状弾性部材にコイル形状部を設け、前記コイル形状部を前記棒状本体に強圧嵌合して前記線状弾性部材を前記棒状本体に固定する請求項１の介護用杖。
【請求項３】
前記線状弾性部材がステンレス鋼線材または真鍮線材で形成されている請求項１または請求項２のいずれかに記載した介護用杖
【発明の詳細な説明】
【技術分野】
【０００１】本発明は介護用杖に係わり、特に、いわゆる  すくみ足  を改善する介護用杖に関する。
【背景技術】
【０００２】歩き出すとき、足を前に出そうとしても出せないで、あたかもすくんだような感じになることを  すくみ足  といい、パーキンソン病の罹病期間が長くなったり、ドーパミン補充薬のＬドーパ合剤による治療期間が長くなったりすると発現頻度が高くなる症状である。
従来から、  すくみ足の症状を改善するために、歩行前方の床や道路上に、進行方向を横切って、歩幅の間隔に合わせて直線状の標しを付けて、それを踏み越すように歩くとか、杖の下端部に横方向に延びるＬ状部を設け、そのＬ状部を歩幅に合わせて足より先行させ、それを目標に足を出すというものがある。【０００３】前記した床や道路上に、歩幅の間隔に合わせ、進行方向を横切って、直線状の標しを付ける方法では、床や道路には、必ずしも標しが付けられない場合もあり、標しが付けられた場所でしか  すくみ足の症状を改善することは出来ない。
また、杖の下端部に横方向に延びるＬ状部を設けるものは、Ｌ状部が剛体であると、足がＬ状部に強く衝突したり、Ｌ状部を足で踏んでよろめいたり、転倒などしたりする恐れを懐くため、すくみ足症状改善の効果を得にくい。さらに、地面との接点がＬ状部の基端部と先端部とでは、把持部で加えなければならない回転モーメントが異なるため常時杖として用いることが出来ない。Ｌ状部が柔らかい部材であると、杖として用いるときに繰り返し曲げられて疲労破壊するため、実用的でない。【０００４】地面と接する部分がＬ状部の基端部３ｂと先端部３ａとで、把持部４に加えなければならない回転モーメントが異なることを図３と図４により説明する。
図３は把持部４が固定されている近傍の棒状本体３の軸法方向と、地面と接する部分近傍の棒状本体３の軸法方向が一致しない場合を示す。
地面からの反力は地面と接する杖の先端部３ａ近傍の棒状本体３に加えられて、地面接点部の移動は阻止されるが、図において、紙面斜め上方向に延びる把持部４近傍の棒状本体３の軸法方向に加えられた力により発生する回転モーメントＡは、図に示すよう杖先端部３ａの地面と接する部分回りに作用して棒状本体３を回転させようと作用する。この回転を阻止するためには、把持部４の中心を回転の中心とする回転モーメントＢを加えなければならない。なお、回転モーメントＡと回転モーメントＢは、大きさが同じで方向は逆方向となる。
図４は棒状本体３が地面と接する箇所が、Ｌ状部の基端部３ｂであり、この場合は把持部４に、軸方向に加えられる力とＬ状部の基端部３ｂから受ける力が同じであり回転モーメントはない。
【先行技術文献】
【文献１】
【０００５】香川県中央病院神経内科部長  山本光利著  発行所  ライフ・サイエンス  改訂版  患者と家族のためのパーキンソン病Ｑ＆Ａ  Ｐ８８  Ｑ３６、Ａ
【文献２】
【０００６】日赤医療センター神経内科部長  作田  学著  発行所  株式会社主婦と生活社  パーキンソン病はここまで治る  Ｐ１１４歩きはじめの第１歩がすくんで出しにくい
【発明が解決しようとする課題】
【０００７】本発明は前記した点に鑑みてなされたものであって、その目的とするところは、足を前に出すだけでなく、足を上げる高さも適切にする動作を繰り返すことによりすくみ足  の症状を改善することができる介護用杖を提供することにある。
本発明の他の目的は、常時携帯することにより、通常の杖として使用でき、かつ、一般の道路や、バスの乗り降り、駅の改札口で一旦立ち止まったときに  すくみ足  の症状を低減することが可能な介護用杖を提供することである。
【課題を解決するための手段】
【０００８】  本発明の介護用杖は、棒状本体の地面に接地する先端近傍に横方向に延びる線状弾性部材を設け、前記線状弾性部材が使用者の足の移動範囲に延びる方向と、使用者の足の移動範囲外に延びる方向とのいずれかの状態で使用することにより、歩行補助のための普通の杖として用いることおよびリハビリ用の杖として用いることの双方を可能としたものである。
【０００９】また、本発明の介護用杖は、前記線状弾性部材にコイル形状部を設け、前記コイル形状部を前記棒状本体に強圧嵌合して、前記線状弾性部材を前記棒状本体に固定するものである。
【００１０】さらに、本発明の介護用杖は、前記各介護用杖において、前記線状弾性部材が耐食性を有する線材、ステンレス鋼線材や真鍮線材で形成されているものである。
【発明の効果】
【００１１】本発明の介護用杖によれば、線状弾性部材を配置して足で跨ぐ動作をすることにより、歩幅だけでなく足を上げる高さも適切になり  すくみ足の症状改善に高い効果が得られる。さらに、外出時に常に携帯することにより、すくみ足  の発生が防止できるため、歩行が楽になり外出不能が外出可能となりリハビリにも効果がある。
【００１２】本発明による介護用杖のＬ状部を足で踏んでも、蹴っても、線状弾性部材は弾力で元の位置に戻るため反復使用可能である。
【図面の簡単な説明】
【００１３】
【図１】図１は本発明の実施例である介護用杖を示す正面図、
【図２】図２は同介護用杖を示す側面図である。
【図３】図３は従来の介護用杖を示す正面図、
【図４】図４は同介護用杖の他の状態を示す正面図である。
【発明を実施するための形態】
【００１４】以下、本発明の実施例を図面を参照して説明する。図１に示す介護用杖は、棒状本体１の上部に把持部材１ａが接合されている。
【００１５】棒状本体１の下部、先端近傍には線状弾性部材２のコイル形状部２ａが強圧嵌合され、棒状本体１の先端には地面に圧接される石突１ｂが嵌着されている。
【００１６】線状弾性部材は適当な弾性および剛性を有するものであることが必要であるが、その直径は０．８ｍｍ〜１．５ｍｍであることが好ましい。材質は耐食性のあるステンレス鋼材や真鍮が適している。
また、色は視覚神経を刺激するよう黄銅色や銀白色が好ましい。線状弾性部材の長さは棒状本体から、歩行する時使用する履物の履物横幅まで延びる長さが適しているが、８ｃｍ〜１５ｃｍ程度となる。
【００１７】また、線状弾性部材の棒状本体への取り付け位置は、棒状本体の地面に接地する石突の下端から上方、履物を履いた時に、履物のつま先が入る高さが適しているが、３ｃｍ〜８ｃｍ程度となる。
【００１８】  線状弾性部材の棒状本体への取り付けは、歩行の進行方向に対し横向き、内側になるよう固定する。この横向きになった線状弾性部材を跨ぐか、あるいは、線状弾性部材の手前に、つま先を置くようにして、すくみ足現象を解消し、
あるいは、すくみ足症状を改善するための訓練をする。そして、普通の杖として用いるために携帯する時は、線状弾性部材が通行範囲の外に向くようにして歩行する。背景技術で説明したように、棒状本体の軸方向に力を加えるときは、把持部に回転モーメントを加える必要がないので体重移動に伴い適度に棒状本体を傾けることにより、体重の一部を棒状本体で支えながら歩行可能とすることができる。
【産業上の利用可能性】
【００１９】  本発明の介護用杖によれば、すくみ足の症状が緩和するため、歩行が楽になり、介護人の手間を軽くし、車椅子に依存することを少なくし、例えばすくみ足により道路横断時道路の中程で立ち止まり交通妨害になることなどが防止できる。また外出を促し、散歩などによりリハビリの効果を上げることができる。
【符号の説明】
【００２０】１  棒状本体    １ａ  把持部材    １ｂ石突
２  線状弾性部材    ２ａ  コイル形状部材
３  棒状本体    ３ａ  先端部    ３ｂ  基端部    ４把持部
Ａ  回転モーメント    Ｂ  回転モーメント
【図１】
0005927654.tif 000002
【図２】
0005927654.tif 000003
【図３】
0005927654.tif 000004
【図４】
0005927654.tif 000005